(57)【要約】【課題】小型化しても受信感度の良い無線タグを提供する。【解決手段】アンテナコイル２とコンデンサ３とを備える共振回路４と、共振回路４と電気的に接続されるＩＣチップ５と、を備える無線タグ１において、共振回路４及びＩＣチップ５は、防水性の保護シート６により被覆されており、保護シート６の外側であって、アンテナコイル２の上下に配置され、上下方向に移動可能なバルク状の磁性部材７を備えた。【選択図】図２
2007133651.tif 000002
【特許請求の範囲】
【請求項１】
アンテナコイルとコンデンサとを備える共振回路と、前記共振回路と電気的に接続されるＩＣチップと、を備える無線タグにおいて、
前記共振回路及び前記ＩＣチップは、防水性の保護シートにより被覆されており、
前記保護シートの外側であって、前記アンテナコイルの上下に配置され、上下方向に移動可能なバルク状の磁性部材を備えることを特徴とする無線タグ。
【請求項２】
アンテナコイルとコンデンサとを備える共振回路と、前記共振回路と電気的に接続されるＩＣチップと、を備える無線タグにおいて、
前記共振回路及び前記ＩＣチップは、防水性の保護シートにより被覆されており、
前記保護シートの内側に、前記コンデンサに接続され、前記アンテナコイルの上面側又は下面側に前記アンテナコイルの中心軸を中心として対称な位置に配置される板状の固定電極と、
前記保護シートの外側に、前記アンテナコイルの中心軸を回転軸として回動可能に備えられる板状の可動電極と、を備えることを特徴とする無線タグ。
【請求項３】
アンテナコイルとコンデンサとを備える共振回路と、前記共振回路と電気的に接続されるＩＣチップと、を備える無線タグにおいて、
前記アンテナコイルの上下に配置され、上下方向に移動可能なバルク状の磁性部材を備えることを特徴とする無線タグ。
【請求項４】
アンテナコイルとコンデンサとを備える共振回路と、前記共振回路と電気的に接続されるＩＣチップと、を備える無線タグにおいて、
前記コンデンサに接続され、前記アンテナコイルの上面側又は下面側に前記アンテナコイルの中心軸を中心として対称な位置に配置される板状の固定電極と、
前記アンテナコイルの中心軸を回転軸として回動可能に備えられる板状の可動電極と、を備えることを特徴とする無線タグ。
【発明の詳細な説明】
【技術分野】
【０００１】
本発明は、無線タグに関する。
【背景技術】
【０００２】
従来、アンテナコイルとコンデンサからなる共振回路とＩＣ（Integrated  Circuit）チップとを備えて構成される無線タグが知られている（例えば、特許文献１−３）。無線タグは識別コード等の識別情報を記憶し、食品等の製品に備えられて、製品管理に役立つと期待されている。さらに、無線タグが患者に着用されることにより、患者の取り間違えなどによる医療ミスを防止するなどの医療分野での利用も期待されている。
【０００３】
無線タグを製品や患者に備えるためには無線タグの小型化が必要となるが、無線タグを小型化すると受信感度が低下してしまうという問題がある。無線タグの受信感度は、共振回路の共振周波数を調整することにより行われる。共振回路の共振周波数はアンテナコイルの磁気抵抗とコンデンサの静電容量により決まっている。そこで、アンテナコイルの内側領域又はコイルと重なるカバーシート上に導電性材料又は磁性材料のシートを設けることによりアンテナコイルの磁気抵抗を変化させて、共振回路の共振周波数を調整するものが知られている（例えば、特許文献１）。
また、無線タグのＩＣチップにデータを書き込んだり、ＩＣチップに記憶されているデータを読み込むことができる無線タグリーダライタも知られている（例えば、特許文献２）。
【特許文献１】特開２００３−１８８７６５号公報
【特許文献２】特開２００５−１６５８８０号公報
【特許文献３】特開２００２−０４９９０２号公報
【発明の開示】
【発明が解決しようとする課題】
【０００４】
しかしながら、特許文献１では、アンテナコイルに設けられる導電性材料及び磁性材料はシートであるため、小型化された無線タグにおいては、調整できる共振周波数の範囲は狭くなり、十分に受信感度を向上することができないという問題がある。また、アンテナコイルに導電性材料を設けるとその分、無線電波がアンテナコイルを通れなくなるため、結果として、無線タグの受信感度が低下してしまうという問題もある。
【０００５】
本発明の課題は、小型化しても受信感度の良い無線タグを提供することである。
【課題を解決するための手段】
【０００６】
請求項１に記載の発明は、アンテナコイルとコンデンサとを備える共振回路と、前記共振回路と電気的に接続されるＩＣチップと、を備える無線タグにおいて、
前記共振回路及び前記ＩＣチップは、防水性の保護シートにより被覆されており、
前記保護シートの外側であって、前記アンテナコイルの上下に配置され、上下方向に移動可能なバルク状の磁性部材を備えることを特徴としている。
【０００７】
請求項２に記載の発明は、アンテナコイルとコンデンサとを備える共振回路と、前記共振回路と電気的に接続されるＩＣチップと、を備える無線タグにおいて、
前記共振回路及び前記ＩＣチップは、防水性の保護シートにより被覆されており、
前記保護シートの内側に、前記コンデンサに接続され、前記アンテナコイルの上面側又は下面側に前記アンテナコイルの中心軸を中心として対称な位置に配置される板状の固定電極と、
前記保護シートの外側に、前記アンテナコイルの中心軸を回転軸として回動可能に備えられる板状の可動電極と、を備えることを特徴としている。
【０００８】
請求項３に記載の発明は、アンテナコイルとコンデンサとを備える共振回路と、前記共振回路と電気的に接続されるＩＣチップと、を備える無線タグにおいて、
前記アンテナコイルの上下に配置され、上下方向に移動可能なバルク状の磁性部材を備えることを特徴としている。
【０００９】
請求項４に記載の発明は、アンテナコイルとコンデンサとを備える共振回路と、前記共振回路と電気的に接続されるＩＣチップと、を備える無線タグにおいて、
前記コンデンサに接続され、前記アンテナコイルの上面側又は下面側に前記アンテナコイルの中心軸を中心として対称な位置に配置される板状の固定電極と、
前記アンテナコイルの中心軸を回転軸として回動可能に備えられる板状の可動電極と、を備えることを特徴としている。
【発明の効果】
【００１０】
請求項１に記載の発明によれば、アンテナコイルの上下に配置され、上下方向に移動可能なバルク状の磁性部材を備えるので、当該磁性部材の上下方向の位置を調整することにより、アンテナコイルの磁気抵抗を調整でき、これにより共振回路の共振周波数を調整することができることとなって、無線タグの受信感度を調整することができる。
また、磁性部材はバルク状であるため、例えば、シート状のものに比べて、当該磁性部材の上下方向の位置を調整することによる共振回路の共振周波数の調整範囲が広く、無線タグを小型化することによって受信感度が低下してしまった場合でも、当該無線タグの受信感度を十分に向上させることができる。
また、共振回路及びＩＣチップは防水性の保護シートにより被覆されているので、無線タグの使用範囲を広げることができ、例えば、医療分野など水に晒される可能性のある分野においても当該無線タグを使用することができる。
【００１１】
請求項２に記載の発明によれば、コンデンサに接続され、アンテナコイルの上面側又は下面側にアンテナコイルの中心軸を中心として対称な位置に配置される板状の固定電極と、アンテナコイルの中心軸を回転軸として回動可能に備えられる板状の可動電極と、を備えるので、可動電極を回動させることにより、可動電極と固定電極とが重なる面積を調整することができ、これによりコンデンサの静電容量を調整することができることとなって、無線タグの受信感度を調整することができる。
また、固定電極と可動電極の面積を所望の大きさにすることにより、コンデンサの静電容量の調整範囲を所望の範囲とすることができ、無線タグを小型化することによって受信感度が低下してしまった場合でも、可動電極と固定電極とが重なる面積を調整することにより、当該無線タグの受信感度を十分に向上させることができる。
また、共振回路及びＩＣチップは防水性の保護シートにより被覆されているので、無線タグの使用範囲を広げることができ、例えば、医療分野など水に晒される可能性のある分野においても当該無線タグを使用することができる。
【００１２】
請求項３に記載の発明によれば、アンテナコイルの上下に配置され、上下方向に移動可能なバルク状の磁性部材を備えるので、当該磁性部材の上下方向の位置を調整することにより、アンテナコイルの磁気抵抗を調整でき、これにより共振回路の共振周波数を調整することができることとなって、無線タグの受信感度を調整することができる。
また、磁性部材はバルク状であるため、例えば、シート状のものに比べて、当該磁性部材の上下方向の位置を調整することによる共振回路の共振周波数の調整範囲が広く、無線タグを小型化することによって受信感度が低下してしまった場合でも、当該無線タグの受信感度を十分に向上させることができる。
【００１３】
請求項４に記載の発明によれば、コンデンサに接続され、アンテナコイルの上面側又は下面側にアンテナコイルの中心軸を中心として対称な位置に配置される板状の固定電極と、アンテナコイルの中心軸を回転軸として回動可能に備えられる板状の可動電極と、を備えるので、可動電極を回動させることにより、可動電極と固定電極とが重なる面積を調整することができ、これによりコンデンサの静電容量を調整することができることとなって、無線タグの受信感度を調整することができる。
また、固定電極と可動電極の面積を所望の大きさにすることにより、コンデンサの静電容量の調整範囲を所望の範囲とすることができ、無線タグを小型化することによって受信感度が低下してしまった場合でも、可動電極と固定電極とが重なる面積を調整することにより、当該無線タグの受信感度を十分に向上させることができる。
【発明を実施するための最良の形態】
【００１４】
以下、図を参照して、本発明に係る無線タグを実施するための最良の形態を詳細に説明する。
【００１５】
（第１の実施形態）
本発明の第１の実施形態に係る無線タグ１は、例えば、図１，図２に示すように、アンテナコイル２，コンデンサ３等を備える共振回路４と、共振回路４と電気的に接続されるＩＣチップ５と、共振回路４及びＩＣチップ５を被覆する保護シート６と、保護シート６の外側であって、アンテナコイル２の上下に配置され、上下方向に移動可能なバルク状の磁性部材７，７と、保護シート６の外側を覆う樹脂部材８等を備えて構成されている。
【００１６】
アンテナコイル２は、例えば、コイルが中心軸Ｐを中心に層状に巻回されて構成されており、アンテナコイル２の磁気抵抗が変化すると共振回路４の共振周波数が変化する。
【００１７】
コンデンサ３は、例えば、アンテナコイル２と電気的に接続されており、コンデンサ３の静電容量が変化すると共振回路４の共振周波数が変化する。
【００１８】
ＩＣチップ５は、例えば、トランジスタ，抵抗，コンデンサ，ダイオード等が基板上に集積されてなる電子回路であって、無線タグ１が装着される物の識別情報等を記憶している。
【００１９】
保護シート６は、例えば、ガラス又は合成樹脂等からなる防水シート等であって、無線タグ１の損傷を防ぐ。
【００２０】
磁性部材７は、例えば、透磁率が高く機械強度が強い磁性材料等により成形され、より好ましくは、フェライトなどの人体に触れても酸化しない磁性材料により成形される。また、磁性部材７は、例えば、略円柱状に成形されており、その側面に雄ねじ（図示省略）が切ってあり、後述する樹脂部材８の穴部８０の側面に切られた雌ねじ（図示省略）に螺合されるようになっている。
【００２１】
樹脂部材８は、例えば、樹脂等が、保護シート６の周囲を覆うように、所定の形状に成形された部材である。本実施形態では、略直方体状に成形されたものを例示して示す。樹脂部材８が成形される大きさは、直径１０ｍｍの球体と同程度或いは直径１０ｍｍの球体より小さい大きさであることが望ましい。
また、樹脂部材８は、アンテナコイル２の上下に、磁性部材７が挿入される穴部８０を備えている。
【００２２】
穴部８０は、その側面に、磁性部材７の側面に切られた雄ねじ（図示省略）に螺合する雌ねじ（図示省略）が切られている。そして、穴部８０の所望の高さまで磁性部材７を挿入することにより、アンテナコイル２の磁気抵抗が調整されるようになっている。また、磁性部材７が穴部８０に挿入される高さが調整された後、穴部８０に接着剤等を流し入れて固めることにより、磁性部材７が穴部８０に固定される。
【００２３】
以上に説明した本発明の第１の実施形態に係る無線タグ１によれば、アンテナコイル２の上下に配置され、上下方向に移動可能なバルク状の磁性部材７を備えるので、当該磁性部材７の上下方向の位置を調整することにより、アンテナコイル２の磁気抵抗を調整でき、これにより共振回路４の共振周波数を調整することができることとなって、無線タグ１の受信感度を調整することができる。
また、磁性部材７はバルク状であるため、例えば、シート状のものに比べて、当該磁性部材７の上下方向の位置を調整することによる共振回路４の共振周波数の調整範囲が広く、無線タグ１を小型化することによって受信感度が低下してしまった場合でも、当該無線タグ１の受信感度を十分に向上させることができる。
また、共振回路４及びＩＣチップ５は防水性の保護シート６により被覆されているので、無線タグ１の使用範囲を広げることができ、例えば、医療分野など水に晒される可能性のある分野においても当該無線タグ１を使用することができる。
【００２４】
（第２の実施形態）
本発明の第２の実施形態に係る無線タグ１００は、例えば、図３に示すように、磁性部材７が備えられず、固定電極９，９、可動電極１０，樹脂部材１１の構成のみが第１の実施形態に係る無線タグ１と異なるので、同一の構成については同一の符号を付すとともに、その説明を省略する。
【００２５】
第２の実施形態に係る無線タグ１００は、例えば、図３に示すように、アンテナコイル２，コンデンサ３等を備える共振回路４と、共振回路４と電気的に接続されるＩＣチップ５と、共振回路４及びＩＣチップ５を被覆する保護シート６と、保護シート６の外側を覆う樹脂部材１１等を備えて構成されている。
【００２６】
また、第２の実施形態に係る無線タグ１００は、例えば、図３に示すように、固定電極９，９，可動電極１０等を備えて構成される。
【００２７】
固定電極９，９は、例えば、台形形状の板状の電極であって、保護シート６の内側において、コンデンサ３に電気的に接続され、アンテナコイル２の上面側にアンテナコイル２の中心軸Ｐを中心として対称な位置に配置されている。なお、固定電極９の形状は、台形形状に限られるものではない。
【００２８】
可動電極１０は、例えば、長尺な矩形形状の板状の電極であって、保護シート６の外側において、アンテナコイル２の中心軸Ｐを回転軸として回動可能に備えられている。そして、可動電極１０が回動されることにより、固定電極９，９と可動電極１０とが重なり合う面積が変化し、当該面積を所望の面積となるように可動電極１０を回動させることにより、コンデンサ３の静電容量が調整されるようになっている。また、可動電極１０の回動角度が調整された後、当該可動電極１０は接着剤により固定され、保護シート６の外側が樹脂部材１１により覆われる。
【００２９】
以上に説明した本発明の第２の実施形態に係る無線タグ１００によれば、コンデンサ３に接続され、アンテナコイル２の上面側にアンテナコイル２の中心軸Ｐを中心として対称な位置に配置される板状の固定電極９，９と、アンテナコイル２の中心軸Ｐを回転軸として回動可能に備えられる板状の可動電極１０と、を備えるので、可動電極１０を回動させることにより、可動電極１０と固定電極９，９とが重なる面積を調整することができ、これによりコンデンサ３の静電容量を調整することができることとなって、無線タグ１００の受信感度を調整することができる。
また、固定電極９，９と可動電極１０の面積を所望の大きさにすることにより、コンデンサ３の静電容量の調整範囲を所望の範囲とすることができ、無線タグ１００を小型化することによって受信感度が低下してしまった場合でも、可動電極１０と固定電極９，９とが重なる面積を調整することにより、当該無線タグ１００の受信感度を十分に向上させることができる。
また、共振回路４及びＩＣチップ５は防水性の保護シート６により被覆されているので、無線タグ１００の使用範囲を広げることができ、例えば、医療分野など水に晒される可能性のある分野においても当該無線タグ１００を使用することができる。
【００３０】
なお、無線タグ１及び１００は、直径１０ｍｍの球体程度の大きさ或いは直径１０ｍｍの球体より小さいに成形されればよく、指輪に成形されてもよい。
【図面の簡単な説明】
【００３１】
【図１】本発明に係る無線タグを示す平面図（図１（ａ））及び側面図（図１（ｂ））である。
【図２】本発明に係る無線タグを示す斜視図である。
【図３】本発明に係る無線タグを示す平面図（図３（ａ））及び図３（ａ）におけるＢ‐Ｂ矢視側面図（図３（ｂ））である。
【符号の説明】
【００３２】
１，１００  無線タグ
２  アンテナコイル
３  コンデンサ
４  共振回路
５  ＩＣチップ
６  保護シート
７  磁性部材
９  固定電極
１０  可動電極
【図１】
2007133651.tif 000003
【図２】
2007133651.tif 000004
【図３】
2007133651.tif 000005